【手続補正書】
【提出日】平成30年9月7日(2018.9.7)
【手続補正１】
【補正対象書類名】明細書
【補正対象項目名】０００２
【補正方法】変更
【補正の内容】
【０００２】
従来、車両等のシート装置が知られている（例えば特許文献１参照）。
【手続補正２】
【補正対象書類名】明細書
【補正対象項目名】０００４
【補正方法】変更
【補正の内容】
【０００４】
ところで、本発明の課題は、カバー部材の厚みを小さくし、カバー部材のコンパクト化も実現することである。
【手続補正３】
【補正対象書類名】明細書
【補正対象項目名】０００５
【補正方法】変更
【補正の内容】
【０００５】
以上の課題を解決するため、請求項１記載の発明に係るシート装置は、
左右にそれぞれ配置された左右のクッションサイドフレームと、
前記クッションサイドフレームの後方部を覆うカバー部材と、
前記左右のクッションサイドフレームに取り付けられ、前記左右のクッションサイドフレームを連結するパイプ部材とを備え、
前記カバー部材は、板状の外装部と、前記パイプ部材に係合する軸受部と、を有し、
前記外装部は、前記軸受部より前後方向前側に、前記カバー部材を右側の前記クッションサイドフレームに固定するための固定部を有し、
前記カバー部材には、上下方向における前記軸受部と前記固定部との間に、交差するリブが形成されていることを特徴としている。
【手続補正４】
【補正対象書類名】明細書
【補正対象項目名】０００６
【補正方法】変更
【補正の内容】
【０００６】
請求項２記載の発明は、請求項１に記載のシート装置において、
前記交差するリブにおけるリブ同士の交差点は、前記軸受部の上端と前記固定部の下端との間に配置されていることを特徴としている。
【手続補正５】
【補正対象書類名】明細書
【補正対象項目名】０００７
【補正方法】変更
【補正の内容】
【０００７】
請求項３記載の発明に係るシート装置は、請求項２に記載のシート装置において、
前記交差点は、前記軸受部の前端と前記固定部の後端との間に配置されていることを特徴としている。
【手続補正６】
【補正対象書類名】明細書
【補正対象項目名】０００８
【補正方法】変更
【補正の内容】
【０００８】
請求項４記載の発明は、請求項１〜３のいずれか一項に記載のシート装置において、
前記軸受部は、前記パイプ部材の外周面に沿って形成された凹部形状を有し、
前記交差するリブは、前記固定部よりも前記軸受部に近い側に配置されていることを特徴としている。
【手続補正７】
【補正対象書類名】明細書
【補正対象項目名】０００９
【補正方法】変更
【補正の内容】
【０００９】
［請求項５について］
請求項５に記載の発明は、請求項１〜４のいずれか一項に記載のシート装置において、
前記交差するリブは、前後方向に伸長する前後リブと、上下方向に伸長する上下リブと、によって構成され、
前記上下リブの上端は、前記前後リブよりも上方に配置されていることを特徴としている。
［請求項６について］
請求項６に記載の発明は、請求項１〜４のいずれか一項に記載のシート装置において、
前記交差するリブは、前後方向に伸長する前後リブと、上下方向に伸長する上下リブと、によって構成され、
前記上下リブの下端は、前記前後リブよりも下方に配置されていることを特徴としている。
［請求項７について］
請求項７に記載の発明は、請求項１〜６のいずれか一項に記載のシート装置において、
前記左右のクッションサイドフレームをそれぞれ支持する左右の支持フレームと、
前記左右のクッションサイドフレームと前記左右の支持フレームとを連結して前記支持フレームと前記クッションサイドフレームとに対して回動可能に連結されたリンク部材と、
前記左右のクッションサイドフレームを前記左右の支持フレームに対して昇降させて座面位置を調整するため、前記左右のクッションサイドフレームのうち一方のクッションサイドフレームに取り付けられた作動伝達部材と、
前記左右のクッションサイドフレームに配置されて、前記作動伝達部材に係合するギア部と、を更に備え、
前記カバー部材は、前記外装部の上縁から内側に向かって立設する外壁部が形成されており、
前記外壁部は、前記ギア部の上方を覆っていることを特徴としている。
［請求項８について］
請求項８に記載の発明は、請求項７に記載のシート装置において、
前記外壁部は、前記ギア部と前記作動伝達部材とが係合する部位の上方を覆っていることを特徴としている。
［請求項９について］
請求項９に記載の発明は、請求項７に記載のシート装置において、
前記ギア部は、前記リンク部材と一体に形成されており、
前記外壁部は、前記リンク部材の上方を覆っていることを特徴としている。
［請求項１０について］
請求項１０に記載の発明は、請求項１〜９のいずれか一項に記載のシート装置において、
シートバックフレームと、
前記クッションサイドフレームに対して前記シートバックフレームを傾動させるリクライニング機構と、を更に備え、
前記リクライニング機構は、前記クッションサイドフレームの後端部に設けられているとともに、前記シートバックフレームを構成するサイドフレームが回転自在に支持されたブラケットを有し、
前記カバー部材は、前記ブラケットと前記クッションサイドフレームとが側面視において重なる位置に配置されていることを特徴としている。
【手続補正８】
【補正対象書類名】明細書
【補正対象項目名】００１０
【補正方法】変更
【補正の内容】
【００１０】
本発明によれば、カバー部材の厚みを小さくし、カバー部材のコンパクト化も実現することができる。
【手続補正９】
【補正対象書類名】特許請求の範囲
【補正対象項目名】全文
【補正方法】変更
【補正の内容】
【特許請求の範囲】
【請求項１】
左右にそれぞれ配置された左右のクッションサイドフレームと、
前記クッションサイドフレームの後方部を覆うカバー部材と、
前記左右のクッションサイドフレームに取り付けられ、前記左右のクッションサイドフレームを連結するパイプ部材とを備え、
前記カバー部材は、板状の外装部と、前記パイプ部材に係合する軸受部と、を有し、
前記外装部は、前記軸受部より前後方向前側に、前記カバー部材を右側の前記クッションサイドフレームに固定するための固定部を有し、
前記カバー部材には、上下方向における前記軸受部と前記固定部との間に、交差するリブが形成されていることを特徴とするシート装置。
【請求項２】
前記交差するリブにおけるリブ同士の交差点は、前記軸受部の上端と前記固定部の下端との間に配置されていることを特徴とする請求項１に記載のシート装置。
【請求項３】
前記交差点は、前記軸受部の前端と前記固定部の後端との間に配置されていることを特徴とする請求項２に記載のシート装置。
【請求項４】
前記軸受部は、前記パイプ部材の外周面に沿って形成された凹部形状を有し、
前記交差するリブは、前記固定部よりも前記軸受部に近い側に配置されていることを特徴とする請求項１〜３のいずれか一項に記載のシート装置。
【請求項５】
前記交差するリブは、前後方向に伸長する前後リブと、上下方向に伸長する上下リブと、によって構成され、
前記上下リブの上端は、前記前後リブよりも上方に配置されていることを特徴とする請求項１〜４のいずれか一項に記載のシート装置。
【請求項６】
前記交差するリブは、前後方向に伸長する前後リブと、上下方向に伸長する上下リブと、によって構成され、
前記上下リブの下端は、前記前後リブよりも下方に配置されていることを特徴とする請求項１〜４のいずれか一項に記載のシート装置。
【請求項７】
前記左右のクッションサイドフレームをそれぞれ支持する左右の支持フレームと、
前記左右のクッションサイドフレームと前記左右の支持フレームとを連結して前記支持フレームと前記クッションサイドフレームとに対して回動可能に連結されたリンク部材と、
前記左右のクッションサイドフレームを前記左右の支持フレームに対して昇降させて座面位置を調整するため、前記左右のクッションサイドフレームのうち一方のクッションサイドフレームに取り付けられた作動伝達部材と、
前記左右のクッションサイドフレームに配置されて、前記作動伝達部材に係合するギア部と、を更に備え、
前記カバー部材は、前記外装部の上縁から内側に向かって立設する外壁部が形成されており、
前記外壁部は、前記ギア部の上方を覆っていることを特徴とする請求項１〜６のいずれか一項に記載のシート装置。
【請求項８】
前記外壁部は、前記ギア部と前記作動伝達部材とが係合する部位の上方を覆っていることを特徴とする請求項７に記載のシート装置。
【請求項９】
前記ギア部は、前記リンク部材と一体に形成されており、
前記外壁部は、前記リンク部材の上方を覆っていることを特徴とする請求項７に記載のシート装置。
【請求項１０】
シートバックフレームと、
前記クッションサイドフレームに対して前記シートバックフレームを傾動させるリクライニング機構と、を更に備え、
前記リクライニング機構は、前記クッションサイドフレームの後端部に設けられているとともに、前記シートバックフレームを構成するサイドフレームが回転自在に支持されたブラケットを有し、
前記カバー部材は、前記ブラケットと前記クッションサイドフレームとが側面視において重なる位置に配置されていることを特徴とする請求項１〜９のいずれか一項に記載のシート装置。